(57)【要約】【課題】折りたたむことが出来ないために運搬や保管に大きなスペースを費やしていた本箱を、薄板で組み立てる構造を用いて、折りたためるようにして、運搬時のコスト低減と保管時のスペースの削減を図る。【解決手段】プラスチックや金属又は紙材などの薄板を使用し、上下板１，２と両横板３，４から成る薄板４枚を、又は、上下板１，２と両横板３，４から成る薄板４枚と仕切り板６数枚を、結合部が折れ曲がる状態で結合させ、背板５があたる背面側に背板５が差し込まれるような溝等の受けを設け、四角に立上げて背板５を差し込むことにより筐体の形が固定されるようにした。又、後から仕切り板６を取付ける場合は、より筐体の構造を強化し収納物の整理もし易いようにする為に仕切り板６を差し込める溝を上下板１，２と背板５に一定の間隔で設け、仕切り板６を任意な溝に差し込める構造にした。【選択図】        図１
2005027758.tif 000002
【特許請求の範囲】
【請求項１】
プラスチックや金属または紙材などの薄板から構成され、上下板と両横板、または、上下板と両横板と仕切り板が一体化され、折りたたんだ状態から背板を取り付けることによって組み立てることの出来る本箱。
【請求項２】
プラスチックや金属または紙材などの薄板から構成され折りたたむことのできる本箱で、上下板と背板に薄板が差し込める溝か受けがあり仕切り板または見出しの付いた仕切り板を移動して差し込める構造から成る本箱。
【請求項３】
プラスチックや金属または紙材などの薄板から構成され折りたたむことのできる本箱で、サイズの異なる本も収納できるように２種類以上のサイズの収納部から成る本箱。
【発明の詳細な説明】
【０００１】
【発明が属する技術分野】
本発明は、一般家庭や事務所などさまざまなところで、本及び書類の収納に使われてきた本箱に関するものであり、これまで本箱と言えば木製やプラスチック製またはブックエンドのような金属製のものなどが作られてきた。技術としては木工技術やプラスチック成型技術または金属加工技術の分野に属して、本を挟み込む工夫や装飾などの工夫はされてきたが、本箱と言う一つの完成した固定した形で扱われて来た。従って、完成した本箱を取り扱う場合は筐体の大きさが気になるところであった。
【０００２】
【従来の技術】
従来、本箱には色々の工夫が施されてきた。木製の本箱から始まり可変式に収納スペースが伸びて本が挟めるものやブックエンドのように両側から挟むもの、又は絵柄をあしらったものや彫刻を施したものなど種々な本箱が作られてきた。だが、薄板を使用する工夫はブックエンドにのみあらわれ、本箱の持つ厚板感に変わりはなかった。その為、本箱の製品の輸送や保管には多くのスペースが必要となり、コストが高いという欠点があった。
【０００３】
【発明が解決しようとする課題】
本箱は、製作し販売する場合、一つの完成した固定した形としてそのまま流通ルートに乗ることが多かった。その為、筐体の大きさが取り扱い難く、流通コストも上がり、保管スペースも大きくなった。ブックエンドのように重ねて扱う場合でも、立体としての形になってしまい取り扱い難さは残った。また、筐体が大きいものはネジ止めによる組立て家具などの形で存在するが、筐体が小さいものはそのまま搬送されていた。その為、輸送コストが高くなったり、保管場所に事欠くと言った問題点があった。
【０００４】
【課題を解決するための手段】
本発明は、本箱をより安いコストで市場に提供するため、本箱の素材にプラスチックや金属または紙材などの薄板を使用し、上下板と両横板から成る薄板４枚を、結合部が折れ曲がる状態で結合させ、背板があたる背面側に背板が差し込まれるような溝などの受けを設け、四角に立上げて背板を差し込むことにより筐体の形が固定されるようにした。また、より筐体の構造を強化し、本箱内の収納物の整理もし易いようにするために仕切り板または見出しの付いた仕切り板を差し込める溝を上下板と背板に一定の間隔で設け、仕切り板または見出しの付いた仕切り板を差し込んだ。また、仕切り板または見出しの付いた仕切り板をあらかじめ上下板に折りたためる状態で接着して、組立て時背板のみ差し込むだけで組立が完了するようにした。
【０００５】
【発明の実施の形態】
本発明は、折りたたみの出来る本箱の発明であり、図面に基づいて説明すれば、プラスチックや金属または紙材などの薄板を使用し、上下板１，２と両横板３，４から成る薄板４枚を上板１と下板２、横板３，４同士がそれぞれ向かい合い四角い枠を形成するように上板１と左右横板３，４、下板２と左右横板３，４を折れ曲がる機能を持ちながら結合するように連結させる。製作方法としては、プラスチックの場合は金型か切削加工により連結部を板厚よりも薄くし折れやすくする。紙材の場合は、上下板１，２と両横板３，４から成る薄板４枚を連結した状態で切り取り、折れ線を入れ、糊代に接着材をつけて貼り合わせる。金属や板の場合は、上下板１，２と両横板３，４から成る薄板４枚を蝶番のような機構により結合する。
【０００６】
また、上下板１，２と両横板３，４から成る薄板４枚の背面側には、背板５を差し込むための溝や受けを設け、かつ、上下板１，２と背板５には一定の間隔に仕切り板６の板差し込み溝を設ける。また、上下板に仕切り板６差込用溝を設けずに、仕切り板６をあらかじめ上下板に折りたためる状態で接着して、組立て時背板のみ差し込めば組立て完了にすることも出来る。この本箱は、複数の異なるサイズの本箱同士を連結させても、折りたたみ機能に変わりはないため、サイズの大きい本や書類が収納できるように、異なるサイズの本箱同士を連結させることも出来る。その際、連結する横板２枚を横板１枚で兼用することも可能である。この本箱は、搬送時は折りたたんで平たい状態にして取り扱える。また、使用時は簡単に組み立てられる。使わなくなった時は、再び仕切り板６と背板５を引き抜いて平らに折りたためば狭いスペースにも保管できる。
【０００７】
【実施例】
以下に本発明の一実施例について説明する。本箱の材料には厚さ２ｍｍの厚紙を使用した。上下板と両横板から成る厚紙４枚と糊代から成る厚紙を連結した状態で切り取り、背板１枚と仕切り板３枚も切り取った。次に上下板と両横板から成る厚紙４枚と糊代から成る厚紙の上下板と両横板の背面側の端から５ｍｍのところと上下板の中央と左右等間隔のところに幅２ｍｍ深さ１ｍｍの溝を掘り、各板のそれぞれの境に折り目を入れた。また、背板の中央と左右の上下板の溝間隔と同間隔のところにも幅２ｍｍ深さ１ｍｍの溝を掘った。次に、糊代に接着剤を付けて溝のある側を内側にして横板と下板を接合固定した。その後、上下板と両横板から成る厚紙４枚を平らに折りたたんだ状態から立上げ、背面の溝に背板を押し込んだ。次に仕切り板３枚をそれぞれ３本の溝にはめ込んで背板の溝にも嵌るように押し込んだ。その結果、１個の本箱が完成した。本を入れても倒れないで十分本箱としての機能を発揮することを確認した。また、本箱の上に物を置いても若干の歪みは生じるが２０ｋｇ以上耐えられることを確認した。
【０００８】
本箱の大きさは、高さ３２ｃｍ、幅３６ｃｍ、奥行き２５ｃｍにした。本箱の上に物を置いた場合、５ｋｇまでは全く歪みがなく、１０ｋｇまででも仕切り板に歪みは生じたが歪みの程度は小さいものであり、２０ｋｇぐらいになって漸く歪みが大きくなったが、本箱の形状は保っていた。実験後は、本箱の仕切り板３枚を溝から抜き、背板を溝から押し外し、本箱を平らに折りたたむことができた。
【０００９】
【発明の効果】
以上説明したように本発明の本箱は、平たい状態から組み立てられ、使用しない時は再度平らに折りたたんでしまって置くことも出来る。従って、この本箱を製品化し、輸送する場合でも、輸送スペースが小さくて済むため、輸送コストは削減でき、かつ、薄板を利用することで材料面でのコストダウンと設置スペースの削減が図れる。また、保管して置く場合にも保管スペースが小さくて済むため、必要に応じて、組み立てたり畳んだりして手軽に本箱を利用することが出来る。また、上板が付いているため、収納できる本や書類のサイズの制限はあるが、逆に物を上げられると言った利点が生じ、異なるサイズの本箱同士の連結が可能なため、図７のようなよりデザイン性のある本箱の実現も可能である。
【図面の簡単な説明】
【図１】組み立てた状態の本箱の概略図である。
【図２】基本的な組み立て手順の概略図である。（実施例）
【図３】背板の差し込みが楽に出来るタイプの組み立て手順の概略図である。
【図４】仕切り板をあらかじめ上下板に接着したタイプの組み立て手順の概略図である。
【図５】サイズの異なる本箱同士の結合例１。
【図６】サイズの異なる本箱同士の結合例２（上下板と仕切り板一体型）。
【図７】デザイン性のある本箱の例。
【符号の説明】
１    上板
２    下板
３    横板（左側）
４    横板（右側）
５    背板
６    仕切り板
７    溝
８    見出し
【図１】
2005027758.tif 000003
【図２】
2005027758.tif 000004
【図３】
2005027758.tif 000005
【図４】
2005027758.tif 000006
【図５】
2005027758.tif 000007
【図６】
2005027758.tif 000008
【図７】
2005027758.tif 000009
【手続補正書】
【提出日】平成15年10月10日(2003.10.10)
【手続補正１】
【補正対象書類名】明細書
【補正対象項目名】請求項１
【補正方法】変更
【補正の内容】
【請求項１】
プラスチックや金属または紙材などの薄板から構成され、上下板と両横板、または、上
下板と両横板と仕切り板が一体化され、折りたたんだ状態から立上げて、背板を上下板と
両横板の外れ防止の付いた溝か受けに取り付けることによって組み立てることの出来る本
箱。
【手続補正書】
【提出日】平成15年10月15日(2003.10.15)
【手続補正１】
【補正対象書類名】明細書
【補正対象項目名】請求項２
【補正方法】変更
【補正の内容】
【請求項２】
プラスチックや金属または紙材などの薄板から構成され折りたたむことのできる本箱で
、上下板と背板に薄板が差し込める外れ防止の付いた溝か受けがあり仕切り板または見出
しの付いた仕切り板を移動して差し込める構造から成る本箱。
【手続補正書】
【提出日】平成15年10月27日(2003.10.27)
【手続補正１】
【補正対象書類名】明細書
【補正対象項目名】発明の詳細な説明
【補正方法】変更
【補正の内容】
【発明の詳細な説明】
【０００１】
【発明が属する技術分野】
本発明は、一般家庭や事務所などさまざまなところで、本及び書類の収納に使われてきた本箱に関するものであり、これまで本箱と言えば木製やプラスチック製またはブックエンドのような金属製のものなどが作られてきた。技術としては木工技術やプラスチック成型技術または金属加工技術の分野に属して、本を挟み込む工夫や装飾などの工夫はされてきたが、本箱と言う一つの完成した固定した形で扱われて来た。従って、完成した本箱を取り扱う場合は筐体の大きさが気になるところであった。
【０００２】
【従来の技術】
従来、本箱には色々の工夫が施されてきた。木製の本箱から始まり可変式に収納スペースが伸びて本が挟めるものやブックエンドのように両側から挟むもの、又は絵柄をあしらったものや彫刻を施したものなど種々な本箱が作られてきた。だが、薄板を使用する工夫はブックエンドにのみあらわれ、本箱の持つ厚板感に変わりはなかった。その為、本箱の製品の輸送や保管には多くのスペースが必要となり、コストが高いという欠点があった。
【０００３】
【発明が解決しようとする課題】
本箱は、製作し販売する場合、一つの完成した固定した形としてそのまま流通ルートに乗ることが多かった。その為、筐体の大きさが取り扱い難く、流通コストも上がり、保管スペースも大きくなった。ブックエンドのように重ねて扱う場合でも、立体としての形になってしまい取り扱い難さは残った。また、筐体が大きいものはネジ止めによる組立て家具などの形で存在するが、筐体が小さいものはそのまま搬送されていた。その為、輸送コストが高くなったり、保管場所に事欠くと言った問題点があった。
【０００４】
【課題を解決するための手段】
本発明は、本箱をより安いコストで市場に提供するため、本箱の素材にプラスチックや金属または紙材などの薄板を使用し、上下板と両横板から成る薄板４枚を、結合部が折れ曲がる状態で結合させ、背板があたる背面側に背板が差し込まれるような外れ防止の付いた溝などの受けを設け、四角に立上げて背板を差し込むことにより筐体の形が固定されるようにしたものである。また、より筐体の構造を強化し、本箱内の収納物の整理もし易いようにするために仕切り板または見出しの付いた仕切り板を差し込める外れ防止の付いた溝を上下板と背板に一定の間隔で設け、仕切り板または見出しの付いた仕切り板を差し込んだ。また、組立ての簡略を図って仕切り板または見出しの付いた仕切り板をあらかじめ上下板に折りたためる状態で接着して、組立て時背板のみ差し込むだけで組立が完了するような方法も取った。
【０００５】
【発明の実施の形態】
本発明は、折りたたみの出来る本箱の発明であり、図面に基づいて説明すれば、プラスチックや金属または紙材などの薄板を使用し、上下板１，２と両横板３，４から成る薄板４枚を上板１と下板２、横板３，４同士がそれぞれ向かい合い四角い枠を形成するように上板１と左右横板３，４、下板２と左右横板３，４を折れ曲がる機能を持ちながら結合するように連結させる。製作方法としては、プラスチックの場合は金型か切削加工により連結部を板厚よりも薄くし折れやすくする。紙材の場合は、上下板１，２と両横板３，４から成る薄板４枚を連結した状態で切り取り、折れ線を入れ、糊代に接着材をつけて貼り合わせる。金属や板の場合は、上下板１，２と両横板３，４から成る薄板４枚を蝶番のような機構により結合する。
【０００６】
また、上下板１，２と両横板３，４から成る薄板４枚の背面側には、背板５を差し込むための溝や受けを設け、かつ、上下板１，２と背板５には一定の間隔に仕切り板６の板差し込み溝を設ける。また、上下板に仕切り板６差込用溝を設けずに、仕切り板６をあらかじめ上下板に折りたためる状態で接着して、組立て時背板のみ差し込めば組立て完了にすることも出来る。この本箱は、複数の異なるサイズの本箱同士を連結させても、折りたたみ機能に変わりはないため、サイズの大きい本や書類が収納できるように、異なるサイズの本箱同士を連結させることも出来る。その際、連結する横板２枚を横板１枚で兼用することも可能である。この本箱は、搬送時は折りたたんで平たい状態にして取り扱える。また、使用時は簡単に組み立てられる。使わなくなった時は、再び仕切り板６と背板５を引き抜いて平らに折りたためば狭いスペースにも保管できる。
【０００７】
【実施例】
以下に本発明の一実施例について説明する。本箱の材料には厚さ２ｍｍの厚紙を使用した。上下板と両横板から成る厚紙４枚と糊代から成る厚紙を連結した状態で切り取り、背板１枚と仕切り板３枚も切り取った。次に上下板と両横板から成る厚紙４枚と糊代から成る厚紙の上下板と両横板の背面側の端から５ｍｍのところと上下板の中央と左右等間隔のところに幅２ｍｍ深さ１ｍｍの溝を掘り、各板のそれぞれの境に折り目を入れた。また、背板の中央と左右の上下板の溝間隔と同間隔のところにも幅２ｍｍ深さ１ｍｍの溝を掘った。次に、糊代に接着剤を付けて溝のある側を内側にして横板と下板を接合固定した。その後、上下板と両横板から成る厚紙４枚を平らに折りたたんだ状態から立上げ、背面の溝に背板を押し込んだ。次に仕切り板３枚をそれぞれ３本の溝にはめ込んで背板の溝にも嵌るように押し込んだ。その結果、１個の本箱が完成した。本を入れても倒れないで十分本箱としての機能を発揮することを確認した。また、本箱の上に物を置いても若干の歪みは生じるが２０ｋｇ以上耐えられることを確認した。
【０００８】
本箱の大きさは、高さ３２ｃｍ、幅３６ｃｍ、奥行き２５ｃｍにした。本箱の上に物を置いた場合、５ｋｇまでは全く歪みがなく、１０ｋｇまででも仕切り板に歪みは生じたが歪みの程度は小さいものであり、２０ｋｇぐらいになって漸く歪みが大きくなったが、本箱の形状は保っていた。実験後は、本箱の仕切り板３枚を溝から抜き、背板を溝から押し外し、本箱を平らに折りたたむことができた。
【０００９】
【発明の効果】
以上説明したように本発明の本箱は、平たい状態から組み立てられ、使用しない時は再度平らに折りたたんでしまって置くことも出来る。従って、この本箱を製品化し、輸送する場合でも、輸送スペースが小さくて済むため、輸送コストは削減でき、かつ、薄板を利用することで材料面でのコストダウンと設置スペースの削減が図れる。また、保管して置く場合にも保管スペースが小さくて済むため、必要に応じて、組み立てたり畳んだりして手軽に本箱を利用することが出来る。また、上板が付いているため、収納できる本や書類のサイズの制限はあるが、逆に物を上げられると言った利点が生じ、異なるサイズの本箱同士の連結が可能なため、図７のようなよりデザイン性のある本箱の実現も可能である。